(57)【要約】【課題】文書に所定のウォーターマーク画像を挿入するシステムおよび方法を提供する。【解決手段】先ず、画像処理装置は文書の画像データを含む画像処理要求を受け取る。この要求を解析し、文書の画像出力（visual rendering）にウォーターマークを挿入すべきかどうかを判断する。次に、必要に応じて、画像処理要求に基づいてウォーターマークレポジトリ等のメモリから所定のウォーターマークを取り出す。次に、取り出したウォーターマークを結合した文書の画像出力を生成する。【選択図】図２
2006238443.tif 000002
【特許請求の範囲】
【請求項１】
文書を表す画像データを含む画像処理要求を受け取る手段と、
受け取った前記画像処理要求から前記文書の画像出力（visual rendering）にウォーターマークを挿入すべきか否かを判断する手段と、
前記ウォーターマークのデータを記憶するデータ記憶手段と、
受け取った前記画像処理要求に基づいて前記データ記憶手段から所定のウォーターマークを取り出す手段と、
前記文書と前記所定のウォーターマークを表す画像とを結合した文書の画像出力を生成する手段と
を有することを特徴とする画像出力にウォーターマークを選択的に挿入するシステム。
【請求項２】
前記画像処理要求は、所定の画像処理基準を表すデータを含むことを特徴とする請求項１に記載の画像出力にウォーターマークを選択的に挿入するシステム。
【請求項３】
前記画像処理要求から前記文書の画像出力にウォーターマークを挿入すべきか否かを判断する前記手段による判断が、前記所定の画像処理基準に基づくことを特徴とする請求項２に記載の画像出力にウォーターマークを選択的に挿入するシステム。
【請求項４】
前記所定の画像処理基準は、文書処理操作タイプまたは文書タイプを含むことを特徴とする請求項３に記載の画像出力にウォーターマークを選択的に挿入するシステム。
【請求項５】
前記所定の画像処理基準が、管理者またはユーザのいずれかによって設定されることを特徴とする請求項４に記載の画像出力にウォーターマークを選択的に挿入するシステム。
【請求項６】
前記データ記憶手段内のレポジトリに少なくとも１つのウォーターマークを表すデータを追加（populate）する手段をさらに含むことを特徴とする請求項１に記載の画像出力にウォーターマークを選択的に挿入するシステム。
【請求項７】
前記ウォーターマークレポジトリに前記ウォーターマークを表すデータを追加する前記手段は、
ウォーターマーク画像を表すデータを生成する手段と、
識別子を表すデータを前記ウォーターマーク画像データと関連付ける手段と、
前記ウォーターマーク画像データと、このウォーターマーク画像データと関連付けられた前記関連識別子データとを共に前記ウォーターマークレポジトリに記憶させる手段とを、さらに有することを特徴とする請求項６に記載の画像出力にウォーターマークを選択的に挿入するシステム。
【請求項８】
前記ウォーターマーク画像データが、ウォーターマークの画像出力をスキャンする手段によって生成されることを特徴とする請求項７に記載の画像出力にウォーターマークを選択的に挿入するシステム。
【請求項９】
前記ウォーターマーク画像データが、
この画像データを含む電子ファイルを受け取る手段と、
この手段により受け取った前記電子ファイルから前記ウォーターマーク画像データを取り出す手段とによって生成される
ことを特徴とする請求項７に記載の画像出力にウォーターマークを選択的に挿入するシステム。
【請求項１０】
前記電子ファイルが、電子メッセージまたは印刷ジョブによって前記電子ファイルを受け取る手段に送られることを特徴とする請求項９に記載の画像出力にウォーターマークを選択的に挿入するシステム。
【請求項１１】
文書を表す画像データを含む画像処理要求を受け取るステップと、
受け取った前記画像処理要求から前記文書の画像出力（visual rendering）にウォーターマークを挿入すべきか否かを判断するステップと、
前記ウォーターマークのデータを記憶するデータ記憶ステップと、
受け取った前記画像処理要求に基づいて前記データ記憶ステップによって記憶されたデータから所定のウォーターマークを取り出すステップと、
前記文書と前記所定のウォーターマークを表す画像とを結合した文書の画像出力を生成するステップと
を有することを特徴とする画像出力にウォーターマークを選択的に挿入する方法。
【請求項１２】
前記画像処理要求は、所定の画像処理基準を表すデータを含むことを特徴とする請求項１１に記載の画像出力にウォーターマークを選択的に挿入する方法。
【請求項１３】
前記画像処理要求から前記文書の画像出力にウォーターマークを挿入すべきか否かを判断する前記ステップにおける判断が、前記所定の画像処理基準に基づくことを特徴とする請求項１２に記載の画像出力にウォーターマークを選択的に挿入する方法。
【請求項１４】
前記所定の画像処理基準は、文書処理操作タイプまたは文書タイプを含むことを特徴とする請求項１３に記載の画像出力にウォーターマークを選択的に挿入する方法。
【請求項１５】
前記所定の画像処理基準が、管理者またはユーザのいずれかによって設定されることを特徴とする請求項１４に記載の画像出力にウォーターマークを選択的に挿入する方法。
【請求項１６】
前記データ記憶ステップでデータが格納されるレポジトリに少なくとも１つのウォーターマークを表すデータを追加するステップをさらに含むことを特徴とする請求項１１に記載の画像出力にウォーターマークを選択的に挿入する方法。
【請求項１７】
前記ウォーターマークレポジトリに前記ウォーターマークを表すデータを追加する前記ステップは、
ウォーターマーク画像を表すデータを生成するステップと、
識別子を表すデータを前記ウォーターマーク画像データと関連付けるステップと、
前記ウォーターマーク画像データと、このウォーターマーク画像データと関連付けられた前記関連識別子データとを共に前記ウォーターマークレポジトリに記憶させるステップとを、さらに有することを特徴とする請求項１６に記載の画像出力にウォーターマークを選択的に挿入する方法。
【請求項１８】
前記ウォーターマーク画像データが、ウォーターマークの画像出力をスキャンする手段によって生成されることを特徴とする請求項１７に記載の画像出力にウォーターマークを選択的に挿入する方法。
【請求項１９】
前記ウォーターマーク画像データが、
この画像データを含む電子ファイルを受け取るステップと、
このステップにより受け取った前記電子ファイルから前記ウォーターマーク画像データを取り出すステップとによって生成される
ことを特徴とする請求項１７に記載の画像出力にウォーターマークを選択的に挿入する方法。
【請求項２０】
前記電子ファイルが、電子メッセージまたは印刷ジョブによって送られ、前記電子ファイルを受け取るステップで受け取られることを特徴とする請求項１９に記載の画像出力にウォーターマークを選択的に挿入する方法。
【発明の詳細な説明】
【技術分野】
【０００１】
本発明は、原本と複写文書を区別するために文書にウォーターマーク画像を選択的かつ自動的に組み込むシステムおよび方法に関し、特に、文書の画像出力（visual rendering）に所定のウォーターマーク画像を選択的に挿入して原本を複写文書と識別可能とするシステムおよび方法に関する。
【背景技術】
【０００２】
多機能周辺装置（Multi-Function Peripheral；以下、ＭＦＰということがある。）のような画像処理装置は多様な機能を有する。そのような機能には、複写、印刷、スキャンおよびファックス送受信などがある。また、複写技術とハードウェアが進歩した結果、電子写真複製の品質が向上した。電子写真複製の品質の向上によって複写文書と正文書の区別が困難になった。従来、文書の複写にウォーターマークを使用することがあった。しかしながら、そのようなウォーターマークの使用は、管理者が様々なタイプの画像処理操作ごとにウォーターマーク画像を選択的に設定することができない問題点があった。さらに、そのようなウォーターマークの使用は、複写ジョブと印刷ジョブの両方においてウォーターマーク画像を選択的かつ自動的に含めることができない問題点もあった。
【発明の開示】
【発明が解決しようとする課題】
【０００３】
本発明は、上記の従来の問題点に鑑みてなされたもので、文書の画像出力（visual rendering）に所定のウォーターマーク画像を選択的に挿入するシステムおよび方法を提供することを目的とする。
【課題を解決するための手段】
【０００４】
本発明による画像出力にウォーターマークを選択的に挿入するシステムは、文書を表す画像データを含む画像処理要求を受け取る手段と、受け取った前記画像処理要求から前記文書の画像出力（visual rendering）にウォーターマークを挿入すべきか否かを判断する手段と、前記ウォーターマークのデータを記憶するデータ記憶手段と、受け取った前記画像処理要求に基づいて前記データ記憶手段から所定のウォーターマークを取り出す手段と、前記文書と前記所定のウォーターマークを表す画像とを結合した文書の画像出力を生成する手段とを有する。
【０００５】
ここで、前記画像処理要求は所定の画像処理基準を表すデータを含む。また、画像処理要求から前記文書の画像出力にウォーターマークを挿入すべきか否かを判断する前記手段による判断は、前記所定の画像処理基準に基づく。
【０００６】
さらに、本発明による画像出力にウォーターマークを選択的に挿入するシステムは、前記データ記憶手段内のレポジトリに少なくとも１つのウォーターマークを表すデータを追加（populate）する手段をさらに含む。ここで、前記ウォーターマークレポジトリを追加する前記手段は、ウォーターマーク画像を表すデータを生成する手段と、識別子を表すデータを前記ウォーターマーク画像データと関連付ける手段と、前記ウォーターマーク画像データと、このウォーターマーク画像データと関連付けられた前記関連識別子データとを共に前記ウォーターマークレポジトリに記憶させる手段とを、さらに有する。
【０００７】
本発明によれば、文書に所定のウォーターマーク画像を挿入するシステムおよび方法が提供される。また、本発明によれば、画像処理装置のウォーターマークレポジトリから選択した所定のウォーターマーク画像を文書の画像出力に選択的に挿入するシステムおよび方法が提供される。さらに、本発明によれば、文書処理装置によって実行される文書処理操作のタイプに基づいて特定のウォーターマークを文書に自動的に挿入するシステムおよび方法が提供される。
【０００８】
本発明は、画像処理装置による画像出力（visual rendering）にディジタルウォーターマークを選択的に挿入するシステムおよび方法に関する。ウォーターマークとは、文書の出力の際にページの背景に挿入される図柄、テキスト、アイコン、グリフ（glyph）または他のグラフィック画像である。ウォーターマークの使用は本技術分野において周知であり、本発明においては様々なタイプのウォーターマークが含まれる。本発明におけるウォーターマークは、文書が複写されたものかオリジナルの文書である原本かどうかを区別し、文書の出力を要求したのがユーザなのか管理者なのかを示すために文書に組み込まれる。  以下、適宜、図面を参照しながら本発明による実施形態の説明を行う。
【０００９】
図１は本発明による実施形態のシステム１００を示す。図１において画像処理装置１０２は電子文書を受け取り処理する。画像処理装置には、複写機、プリンタ、スキャナ、ファクシミリ装置、およびこれらの装置が有する機能を任意に組み合わせた装置がある。以下、画像処理装置１０２は、複写、印刷等の複数の機能を有する多機能周辺装置（ＭＦＰ）であるとして説明を行う。ＭＦＰ１０２は、インターネットを含む任意のコンピュータネットワークと通信可能である。
【００１０】
ＭＦＰ１０２は動作可能に接続されたユーザインタフェース１０４を含む。ユーザインタフェース１０４は、例えば、ユーザにデータを表示するとともにユーザによる入力を受け取ることができる、タッチスクリーン表示装置である。しかし、英数字キーパッドやＬＣＤなどを含むが、必ずしもこれらに限定されない当技術分野で既知の任意の適切なユーザインタフェースを本発明に用いることができる。ＭＦＰ１０２は、データ記憶装置１１０として示されるように、電子的な文書や画像などを含むが必ずしもこれらに限定されない電子ファイルを記憶するメモリを有する。データ記憶装置１１０は、磁気データ記憶装置、光データ記憶装置、フラッシュメモリ等を含む既知の任意の大容量記憶装置を用いて実現できる。後でより詳しく説明するように、データ記憶装置１１０は、画像処理操作の際に組み込むための種々の画像、および画像に関連する識別子（identifiers）を記憶するウォーターマークレポジトリとして機能する。以後、データ記憶装置１１０をウォーターマークレポジトリ１１０と言うことがある。
【００１１】
ユーザまたはシステム管理者は、ユーザインタフェース１０４を介してＭＦＰ１０２にアクセスし、命令等を入力する。以後、本明細書において「ユーザ」という用語は、ＭＦＰ１０２の通常ユーザとシステム管理者の両方を含む意味で使用することがある。また、管理者だけがＭＦＰ１０２にアクセスが許可される場合には、「管理者」という用語を使用する。さらに、ユーザは、コンピュータネットワーク１０８を介してＭＦＰ１０２にアクセスする、パーソナルコンピュータ１０６などのリモートユーザインタフェースを介してＭＦＰ１０２にアクセスすることができる。例えば、パーソナルコンピュータ１０６は、既知の任意の適切なウェブブラウザによってＭＦＰ１０２にアクセスする。
【００１２】
パーソナルコンピュータ１０６は、ＬＡＮ、インターネット、直接にIEEE802.11g（Wi-Fi）、Bluetooth（登録商標）、他のIEEE802.11(x) 無線通信チャネル等の、既知の任意のデータ通信チャネル（図示せず）を介してＭＦＰ１０２と通信する。パーソナルコンピュータ１０６は電子ファイルを記憶するためのハードディスクドライブ等の記憶装置（図示せず）を含む。また、図１ではデスクトップ形のパーソナルコンピュータ１０６を示しているが、これは単に例示のためのものであり、本発明においては、電子文書ファイルを記憶し、それをＭＦＰ１０２に伝達するために、文書サーバ、ノート形コンピュータ、タブレットコンピュータ等を使用できる。
【００１３】
ユーザは、パーソナルコンピュータ１０６のウェブブラウザを介して、文書へのウォーターマークの適用を選択的に要求することができる。パーソナルコンピュータ１０６は、ＭＦＰ１０２に接続されたウォーターマークレポジトリ１１０からウォーターマーク画像を取り出し、それをユーザに表示できる。さらに、後述するように、ユーザはユーザインタフェース１０４またはパーソナルコンピュータ１０６によって、ウォーターマークレポジトリ１１０に新しいウォーターマークを追加することができる。例えば、ユーザは、パーソナルコンピュータ１０６からＭＦＰ１０２にウォーターマークとして使用する画像を送る。次に、ディジタルのフォーマットのウォーターマークは、後に使用するために、ウォーターマークレポジトリ１１０に記憶される。
【００１４】
さらに、ユーザはＭＦＰ１０２の所で、例えばハードコピー画像などの画像出力（visual rendering）をスキャンすることによって、ユーザインタフェース１０４を用いて、ウォーターマークを追加することができる。ＭＦＰ１０２でスキャンされた画像のデータは、後に使用するために、ウォーターマークレポジトリ１１０に記憶される。さらに管理者は、ＭＦＰ１０２のユーザインタフェース１０４で、またはパーソナルコンピュータ１０６のウェブブラウザを介して、複写ジョブ、印刷ジョブ、スキャンジョブ、およびファックス送受信ジョブで、所定のユーザが使用する所定のウォーターマークを設定することができる。システム管理者は、これらの任意の組み合わせを設定できる。
【００１５】
図２は画像処理装置によって画像出力にディジタルウォーターマークを選択的に挿入する動作を示すフローチャートである。新たにディジタルウォーターマークを追加する場合には、最初にステップ２０２で、ウォーターマークレポジトリ１１０が追加（populate）される。ウォーターマークレポジトリへ新たなウォーターマークを追加（population）する動作を、図３に示すフローチャートを用いて説明する。尚、新たにディジタルウォーターマークを追加しない場合には、ステップ２０２はスキップされる。
【００１６】
図３は、新たに追加するディジタルウォーターマークとその関連情報をウォーターマークレポジトリに記憶させる動作を説明するためのフローチャートである。先ず、ステップ３０２で、ウォーターマークレポジトリ１１０に新しいウォーターマーク画像を追加する選択がなされる。新しいウォーターマーク画像を追加する選択は、ユーザインタフェース１０４またはパーソナルコンピュータ１０６によって行われる。ステップ３０４で、ユーザは新しいウォーターマークと関連付ける識別子を選択する。ユーザは、例えば、ウォーターマークレポジトリ１１０内のウォーターマーク画像と関連付けられる、名前などのウォーターマークの英数字名称を入力する。ステップ３０６で、新しく追加されるウォーターマークが電子ファイルのフォーマットで利用可能かどうかが判断される。ユーザがウォーターマークの電子的コピーを有するときは、ステップ３１２に進み、ＭＦＰ１０２にウォーターマークを含む電子ファイルを送信する。この電子ファイルの伝送手段には、電子メッセージ伝送、取り外し可能な記憶媒体からの電子ファイルの回復、ＵＲＬからの検索などがあるが、これらに限定されるものではない。
【００１７】
ステップ３１４で、新しいウォーターマークとして使用される画像が、送信されてきた電子ファイルから取り出される。そのような新しいウォーターマークとして使用される画像の取り出しは、ウォーターマークをＭＦＰ１０２が文書に含めることができるフォーマットで生成するために、印刷ドライバを使用することを含む。ＭＦＰ１０２が文書に含めることができる画像フォーマットには、ＪＰＥＧ、ＧＩＦ、ＴＩＦＦおよび当技術分野で既知の他の画像ファイルフォーマットがある。さらに、前記の取り出しを、他の画像データを含むページからの所定の画像の切り取り（ripping）を使用することによって行うこともできる。この切り取られた画像（ripped image）は、ＭＦＰ１０２によって文書に含めることができる形式に変換される。いずれの場合も、ステップ３１６で、ウォーターマークとそれに関連付けられる識別子が、文書処理操作において後で使用するためにウォーターマークレポジトリ１１０に記憶される。
【００１８】
ステップ３０６で、ユーザが、ウォーターマークとして使用したい画像を含む電子ファイルを持っていないと判断されたときは、ステップ３０８で、ユーザはウォーターマークとして使用したい画像を含む文書をスキャンするように要求される。次に、ステップ３１０でウォーターマークとして使用したい画像のある文書がスキャンされる。ステップ３１６で、新しいウォーターマークが、それに関連付けられる識別子とともに、適切なフォーマットでウォーターマークレポジトリ１１０に記憶される。
【００１９】
再び図２を参照すると、ステップ２０２でウォーターマークレポジトリ１１０にウォーターマークを追加した後に、ステップ２０４で画像処理基準がユーザによって適切に選択される。ここで、適切な画像処理基準には、例えばファクシミリ送受信、原本の複製、コピーされた文書の複製、印刷、原本のスキャン、コピーされた文書のスキャンなどの文書処理操作のタイプ、例えば原本なのかコピーされた文書なのかという文書の種別、所定のユーザ用にシステム管理者が設定する権利、およびユーザによるウォーターマークの組み込みがある。しかし、適切な画像処理基準は必ずしもこれらの項目に限定されるものではない。
【００２０】
ここで、ウォーターマークの組み込みを制御する画像処理基準を設定する動作について、図４を参照しながら説明する。図４は、本発明による一実施形態により、画像処理ジョブにおいてウォーターマークを自動的に組み込む処理の動作を示すフローチャートである。
【００２１】
最初にステップ４０２で、管理者はＭＦＰ１０２にアクセスする。ＭＦＰ１０２へのアクセスはユーザインタフェース１０４とパーソナルコンピュータ１０６から行うことができる。ステップ４０４で、管理者は、ウォーターマークの適用を要求するパラメータを設定する。ステップ４０６で、管理者は、ステップ４０４で設定したパラメータと関連する１つまたは複数のウォーターマークを選択する。次に、ステップ４０８で、前記パラメータと、このパラメータに関連する前記ウォーターマークとをレポジトリ１１０に記憶する。管理者は、例えば、すべての複写ジョブで組み込むウォーターマークＡ、すべての印刷ジョブで組み込む異なるウォーターマークＢ、すべての送信ファックスに使用する第３のウォーターマークＣ、すべての受信ファックスに組み込む別のウォーターマークＤなどを選択することができる。さらに、管理者は、あるユーザ甲に対応する任意およびすべての文書処理操作で組み込む所定のウォーターマークＥを選択し、また、ユーザ甲とは異なるユーザ乙に対応する任意およびすべての文書処理操作で組み込む別のウォーターマークＦを選択することができる。
【００２２】
再び図２に戻ると、ステップ２０６で、ＭＦＰ１０２が、所定の画像処理基準を含む印刷ジョブや複写ジョブなどの画像処理要求を受け取る。システム管理者は、ユーザがＭＦＰ１０２にアクセスし画像処理の要求を行う以前に、画像処理基準を設定することができる。ステップ２０８で、画像処理要求を処理する際にウォーターマークを組み込む必要があるかどうかを判断するために、画像処理基準が解析される。ウォーターマークの組み込みを必要としない画像処理基準であると判断されたときは、ステップ２１０で、ユーザ、すなわち画像処理要求を出した人が、ウォーターマークを組み込みたいか否かが判断される。ユーザがウォーターマークを組み込むことを望まない場合には、ステップ２１２で、画像処理要求は、ウォーターマーク組み込まない通常通りの処理がなされる。ユーザがウォーターマークを組み込むことを望むときには、ステップ２１４で、ユーザは、組み込むウォーターマークを選択するように要求される。
【００２３】
ステップ２１０でユーザがウォーターマークを含めるように選択したか、ステップ２０８で画像処理基準がウォーターマークを必要とするものであるときは、ステップ２１６に進み、指定されたウォーターマーク画像データがウォーターマークレポジトリ１１０から取り出される。すなわち、ステップ２１６でウォーターマークレポジトリ１１０から取り出されるウォーターマークは、ステップ２１０でユーザによって選択されたウォーターマークであるか、あるいはステップ２０８で画像処理基準によって指定されたウォーターマークである。
【００２４】
ステップ２１８で、ＭＦＰ１０２は、要求が出された画像処理のページの終わりまで、すなわち、画像処理操作のために画像処理要求で提示された文書全体にわたって、ループ処理を開始する。ここで、ステップ２１８は、１つまたは複数のページを有する文書の処理の開始を示し、ループ処理という用語は、以下で定められるプロセスにしたがって文書内のあるページから次のページに進むことを示す。ステップ２２０で、取り出されたウォーターマーク画像データは、ウォーターマークレポジトリ１１０からＭＦＰ１０２のページメモリに送られる。ウォーターマークは、前記ページメモリに現在記憶されているすべてのデータを上書きするコマンドと共に送られる。したがって、ページメモリはクリアされ、取り出されたウォーターマーク画像データだけを含む。ステップ２２２で、最初のページ画像データがページメモリに送られる。ページ画像データは、ウォーターマーク画像データとページ画像データとを結合させることを指示する「ＯＲ」コマンドと共に送られる。
【００２５】
次に、結合されたウォーターマークとページ画像のデータが、ステップ２２４で、ＭＦＰ１０２の画像プロセッサに送られる。次いでステップ２２６で、結合された画像データが、ＭＦＰ１０２によって画像出力処理（rendering）される。ステップ２２８で、画像処理要求された文書が、さらに未処理のページを含むかどうかが判断される。文書がさらに未処理のページを含むとき、フローはステップ２１８に戻り、前述した動作にしたがって、次のページが画像出力処理される。すべてのページについての画像出力処理が行われ、処理するページがもう他に無くなると、フローはステップ２３０に進み、画像処理要求が達成され画像処理操作を終了する。
【００２６】
本発明は、ソースコード、オブジェクトコード、部分的にコンパイルされた形のようなコード中間ソースおよびオブジェクトコードの形、あるいは本発明の実施態様で使用するために適した任意の他の形のコンピュータプログラムに適用される。コンピュータプログラムは、独立アプリケーション、ソフトウェアコンポーネント、スクリプト、または他のアプリケーションへのプラグインとすることができる。本発明を組み込むコンピュータプログラムは、例えば、ＲＯＭやＲＡＭなどの記憶媒体、ＣＤ−ＲＯＭなどの光記録媒体、フロッピーディスク（登録商標）などの磁気記録装置などの、コンピュータプログラムを搭載することができる任意の実体または装置である担体で実施することができる。担体は、電気ケーブルまたは光ケーブルによって、または無線や他の手段によって伝えられる電気信号や光信号などの任意の伝達可能な担体である。コンピュータプログラムは、サーバからインターネットを介して適切にダウンロードされる。コンピュータプログラムの機能は集積回路に埋め込むこともできる。前述した本発明の原理を実質的にコンピュータまたはプロセッサに実行させるコードを含む任意およびすべての実施形態は、本発明の範囲内にある。
【００２７】
本発明の好ましい実施形態の以上の説明は、例示と説明のために行った。説明は網羅的でもなく本発明を開示した厳密な形態に限定しようとするものでもない。以上の教示を鑑みて明らかな修正または変形が可能である。実施形態は、本発明の原理とその実際的な応用例を最もよく示し、それにより当業者が本発明を、意図された特定の使用に適した様々な実施形態において様々な修正により使用できるように選択され説明された。そのようなすべての修正と変形は、特許請求の範囲の記載に明示されるとおりの本発明の原理および範囲内において、当業者によって行われ得ることは明らかである。
【図面の簡単な説明】
【００２８】
【図１】本発明による一実施形態のシステムを示すブロック図である。
【図２】本発明による一実施形態の画像処理装置によって画像出力にディジタルウォーターマークを選択的に挿入する動作を示すフローチャートである。
【図３】本発明による一実施形態により、新たに追加するディジタルウォーターマークとその関連情報をウォーターマークレポジトリに記憶させる動作を説明するためのフローチャートである。
【図４】本発明による一実施形態により、画像処理ジョブにおいてウォーターマークを自動的に組み込む処理の動作を示すフローチャートである。
【符号の説明】
【００２９】
１００  システム
１０２  画像処理装置、多機能周辺装置（ＭＦＰ）
１０４  ユーザインタフェース
１０６  パーソナルコンピュータ
１０８  コンピュータネットワーク
１１０  データ記憶装置、ウォーターマークレポジトリ
【図２】
2006238443.tif 000003
【図３】
2006238443.tif 000004
【図４】
2006238443.tif 000005
【図１】
2006238443.tif 000006